(57)【要約】【課題】ガスケットと縦仕切体との双方に磁石を設けたものにあって、磁石の位置に多少の幅方向のずれがあっても、吸着力を確保する。【解決手段】実施形態の冷蔵庫は、冷蔵庫本体の開口部を開閉する観音開き式の左右の扉と、前記各扉の裏面周縁部に設けられ内部に磁石を収容したガスケットと、前記扉のうち一方の扉の非枢支側の裏面に縦方向に延びる回転軸を中心に回動可能に設けられ、前記両扉のガスケットのうち非枢支側の部分を受けるための縦仕切体と、前記縦仕切体に前記両扉の非枢支側のガスケットに対応して左右に位置して設けられ、前記各ガスケットを吸着するための磁石とを具備し、前記縦仕切体の磁石または前記ガスケットの磁石は吸着面におけるＮ極とＳ極の割合が異なる磁石であって、前記縦仕切体の磁石と前記ガスケットの磁石との対向する面のうち、異極同士が対向する部分の幅方向寸法が、同極同士が対向する部分の幅方向寸法よりも大きくなっている。【選択図】図５
2018040541.tif 000002
【特許請求の範囲】
【請求項１】
冷蔵庫本体の開口部を開閉する観音開き式の左右の扉と、
前記各扉の裏面周縁部に設けられ内部に磁石を収容したガスケットと、
前記扉のうち一方の扉の非枢支側の裏面に縦方向に延びる回転軸を中心に回動可能に設けられ、前記両扉のガスケットのうち非枢支側の部分を受けるための縦仕切体と、
前記縦仕切体に前記両扉の非枢支側のガスケットに対応して左右に位置して設けられ、前記各ガスケットを吸着するための磁石とを具備し、
前記縦仕切体の磁石または前記ガスケットの磁石は吸着面におけるＮ極とＳ極の割合が異なる磁石であって、
前記縦仕切体の磁石と前記ガスケットの磁石との対向する面のうち、異極同士が対向する部分の幅方向寸法が、同極同士が対向する部分の幅方向寸法よりも大きくなっている冷蔵庫。
【請求項２】
前記縦仕切体の各磁石の磁極及び前記各ガスケットの磁石の磁極の数が１極に構成されている請求項１記載の冷蔵庫。
【請求項３】
前記縦仕切体の各磁石又は前記各ガスケットの磁石の、少なくとも一方の磁極は、幅方向に３極が並ぶように構成されている請求項１記載の冷蔵庫。
【請求項４】
前記各ガスケット内の磁石の磁極の数が３極に構成されると共に、前記縦仕切体の各磁石の磁極の数が２極に構成され、
前記縦仕切体の左右の磁石においては、磁極の並び方が同じである請求項３記載の冷蔵庫。
【請求項５】
前記各ガスケット内の磁石の磁極の数が３極に構成されると共に、前記縦仕切体の各磁石の磁極の数が２極に構成され、
前記縦仕切体内の磁石における前記回転軸に近い側の磁極が、前記各ガスケット内の磁石の中央の磁極と同じである請求項３又は４記載の冷蔵庫。
【請求項６】
前記縦仕切体の各磁石又は前記各ガスケットの磁石の少なくとも一方における、３極が横方向に並ぶ磁極にあっては、幅方向寸法が他と異なるものが含まれている請求項３から５のいずれか一項に記載の冷蔵庫。
【請求項７】
前記縦仕切体の各磁石又は前記各ガスケットの磁石の、少なくとも一方の磁極は、横方向に４極以上が並ぶように構成されている請求項１記載の冷蔵庫。
【請求項８】
前記縦仕切体の２つの磁石の間隔が、前記各ガスケットの２つの磁石の間隔よりも狭く構成されている請求項１から７のいずれか一項に記載の冷蔵庫。
【発明の詳細な説明】
【技術分野】
【０００１】
本発明の実施形態は冷蔵庫に関する。
【背景技術】
【０００２】
例えば家庭用の冷蔵庫においては、冷蔵庫本体の冷蔵室の前面の開口部を、観音開き式の扉により開閉するように構成されたものが知られている（例えば特許文献１参照）。この観音開き式の扉にあっては、左右の両扉の裏面の周縁部に、扉の閉塞時に冷蔵庫本体側との間の隙間を封止するためのガスケットが設けられる。これと共に、一方の扉（左扉）の、非枢支側（右辺側）の裏面側に、それらガスケットのうち、非枢支側の部分を受けるための縦仕切体が設けられる。この縦仕切体は、縦方向に延びる回転軸を中心に回動可能に取付けられ、左扉の開放時には、該左扉の右側面部に沿って邪魔にならない状態に位置され、左扉の閉塞時には、９０度回転してガスケットを受ける面を正面に向けるように構成されている。
【０００３】
この場合、特許文献１においては、ガスケットの十分な吸着力を得るために、ガスケットの内部と、縦仕切体の内部との双方に磁石（磁性体）を設ける構成が採用されている。またこのとき、ガスケット側の吸着面の磁石を、例えば左右にＮ、Ｓの２極の磁極とすると共に、縦仕切体側の吸着面の磁石を、左右にＳ、Ｎの２極の磁極として、磁石同士の吸着がより確実に行われるようにしている。
【先行技術文献】
【特許文献】
【０００４】
【特許文献１】特開２０１６−３８１１号公報
【発明の概要】
【発明が解決しようとする課題】
【０００５】
上記のように、ガスケットと縦仕切体との双方に磁石を設ける構成を採用した場合、一方の吸着面のＳ極の位置と、他方の吸着面のＮ極の位置とが正しく対向していることが重要となる。ところが、各扉におけるガスケットの取付け位置のばらつき、冷蔵庫本体に対する扉の取付け位置のばらつき、縦仕切体における回転軸の位置のばらつき（ウレタン発泡時の発泡圧に起因する位置ずれ）等により、ガスケットと縦仕切体との間の磁石の位置に幅方向のずれが生ずることが考えられる。ガスケットと縦仕切体との間でそのような磁石の幅方向のずれが生じていると、例えばＮ極同士が対向して反発が生じる等、吸着力の低下を招いてしまう虞があり、ひいては、庫内からの冷気の漏れや、縦仕切体の露付き等の不具合を招いてしまうことになる。
【０００６】
そこで、観音開き式の扉のガスケットと縦仕切体との双方に磁石を設けたものにあって、磁石の位置に多少の幅方向のずれがあっても、吸着力を確保することができる冷蔵庫を提供する。
【課題を解決するための手段】
【０００７】
実施形態の冷蔵庫は、冷蔵庫本体の開口部を開閉する観音開き式の左右の扉と、前記各扉の裏面周縁部に設けられ内部に磁石を収容したガスケットと、前記扉のうち一方の扉の非枢支側の裏面に縦方向に延びる回転軸を中心に回動可能に設けられ、前記両扉のガスケットのうち非枢支側の部分を受けるための縦仕切体と、前記縦仕切体に前記両扉の非枢支側のガスケットに対応して左右に位置して設けられ、前記各ガスケットを吸着するための磁石とを具備し、前記縦仕切体の磁石または前記ガスケットの磁石は吸着面におけるＮ極とＳ極の割合が異なる磁石であって、前記縦仕切体の磁石と前記ガスケットの磁石との対向する面のうち、異極同士が対向する部分の幅方向寸法が、同極同士が対向する部分の幅方向寸法よりも大きくなっているところに特徴を有している。尚、ここでいう幅方向寸法とは、ゼロであること、つまり、少なくともいずれかの磁石の磁極がＮ極だけ又はＳ極だけの１極であることも含んでいる。
【図面の簡単な説明】
【０００８】
【図１】第１の実施形態を示すもので、冷蔵庫の全体構成を概略的に示す正面図
【図２】冷蔵室の扉を開放状態で示す冷蔵庫上部の斜視図
【図３】要部の縦断平面図
【図４】縦仕切壁の回動の様子を説明するための図
【図５】４つの磁石の磁極の配置状態を概略的に示す平面図
【図６】第２の実施形態を示すもので、４つの磁石の磁極の配置状態を概略的に示す平面図
【図７】第３の実施形態を示すもので、４つの磁石の磁極の配置状態を概略的に示す平面図
【図８】第４の実施形態を示すもので、４つの磁石の磁極の配置状態を概略的に示す平面図
【図９】第５の実施形態を示すもので、４つの磁石の磁極の配置状態を概略的に示す平面図
【発明を実施するための形態】
【０００９】
以下、家庭用の冷蔵庫に適用したいくつかの実施形態について、図面を参照しながら説明する。尚、複数の実施形態間で共通する部分については、同一符号を付して、新たな図示や繰返しの説明を省略することとする。
【００１０】
（１）第１の実施形態
以下、第１の実施形態について、図１から図５を参照して述べる。まず、図１及び図２を参照して、本実施形態に係る冷蔵庫１の全体構成について簡単に述べる。この冷蔵庫１は、前面が開口した縦長矩形箱状の断熱箱体からなる冷蔵庫本体２を備え、冷蔵庫本体２内には、上から順に、冷蔵室３、冷凍室４、野菜室５の３つの貯蔵室が設けられている。前記冷蔵室３及び野菜室５は、いずれも冷蔵温度帯（例えば、１〜４℃のプラス温度帯）とされ、冷凍室４は冷凍温度帯（例えば、−１０〜−２０℃のマイナス温度帯）とされている。
【００１１】
図３にも示すように、前記冷蔵室３の前面には、左扉６及び右扉７からなる観音開き式（ヒンジ開閉式）の断熱扉が左右に設けられている。これら左扉６及び右扉７は、やや縦長の矩形状をなし、右扉７の方が左扉６よりもやや幅広に構成されている。これら左扉６及び右扉７の裏面側には、左扉６及び右扉７の閉塞時の冷蔵室３の気密性を保持するためのガスケット（マグネットガスケット）８、９が夫々設けられている。これらガスケット８及び９は、左扉６及び右扉７の周辺部に沿う矩形枠状に構成されている。
【００１２】
このとき、詳しくは後述するように、ガスケット８、９は、内部に磁石１０、１１を夫々収容している。また、図１に示すように、ガスケット８、９のうち、上下の辺部、及び外側の側辺部については、冷蔵庫本体２の、冷蔵室３の前面周辺部に宛がわれるようになっている。そして、これも後述するように、ガスケット８、９のうち内側即ち非枢支側の側辺部、つまり左扉６のガスケット８の右側辺部、及び、右扉７のガスケット９の左側辺部は、左扉６に設けられた縦仕切体１２の前面に宛がわれるようになっている。尚、図１に示すように、冷蔵庫本体２の、冷蔵室３と冷凍室４との間の仕切部の前面側部分には、左扉６、右扉７の開閉を検知するための磁気センサからなる開閉センサ１３、１４が設けられている。
【００１３】
また、図１、図２に示すように、前記冷凍室４の前面には、背面部に貯蔵容器（図示せず）が連結された引出し式の断熱扉１５が設けられ、前記野菜室５の前面部には、背面部に貯蔵容器（図示せず）が連結された引出し式の断熱扉１６が設けられている。図１に示すように、これら断熱扉１５、１６の背面側にも、閉塞時の気密性を保持するためのガスケット（マグネットガスケット）１７、１８が枠状に設けられている。ガスケット１７は、冷蔵庫本体２の冷凍室４の前面周辺部に宛がわれ、ガスケット１８は、冷蔵庫本体２の野菜室５の前面周辺部に宛がわれるようになっている。
【００１４】
尚、図示はしないが、冷蔵庫本体２内には、コンプレッサ、コンデンサ、絞り装置、エバポレータ等からなる冷凍サイクルが組込まれている。これと共に、前記エバポレータにより生成された冷気を、上記冷蔵室３、冷凍室４、野菜室５に供給するための冷気供給機構などが設けられている。
【００１５】
ここで、前記ガスケット８、９及び縦仕切体１２について、図３〜図５も参照して述べる。ガスケット８、９は、ゴム等の柔軟性を有する材料から、断面が、四角形（長方形）の中空状に構成されている。図３、図５に示すように、ガスケット８内の背面側、つまり縦仕切体１２との当接面側に、第１の磁石１０が収容されており、ガスケット９内の背面側、つまり縦仕切体１２との当接面側に、第２の磁石１１が収容されている。これら第１の磁石１０及び第２の磁石１１は、共に前後方向に薄型の断面長方形状をなしており、後述するように、その背面側が、所定の磁極となるように着磁されている。
【００１６】
前記縦仕切体１２は、図３、図４に示すように、全体として、断面が長方形状をなす上下方向に延びる角柱状をなしている。より具体的には、図３に示すように、縦仕切体１２は、合成樹脂製の外殻体２０内に、発泡断熱材２１を充填すると共に、吸着するための２個の磁石２２及び２３や、結露防止用のヒータ２４などを組込んで構成されている。この縦仕切体１２は、左扉６の非枢支側である右側辺部の背面側に、支持部１９により縦方向に延びる回動軸Ｏを中心に回動可能に支持されている。
【００１７】
このとき、縦仕切体１２は、図４（ａ）に示すような、左扉６の側面部に沿うように配置される退避位置と、図４（ｂ）に示すような、左扉６のガスケット８の右側辺部、及び、右扉７のガスケット９の左側辺部を受ける状態となる作用位置との間で回動される。詳しく図示はしないが、縦仕切体１２は、ばね力によって、退避位置側に常時付勢されている。そして、縦仕切体１２の上下両端面部には、カム溝が形成されていると共に、冷蔵室３の開口部の上下部には、カム溝を相対的に移動することによって、縦仕切体１２を作用位置に回動させるための突起部２５、２６（図２参照）が設けられている。
【００１８】
これにて、左扉６を開放した状態では、縦仕切体１２は退避位置に回動していて邪魔になることはなく、左扉６を閉塞した状態で、縦仕切体１２が作用位置に回動される。この作用位置では、図３に示すように、縦仕切体１２の磁石２２、２３を有する面が、前面を向くようになり、ガスケット８、９の非枢支側を吸着可能となる。この場合、縦仕切体１２の左側の磁石２２（以下、第３の磁石２２という）が、ガスケット８の第１の磁石１０と対向して吸着力が得られる。また、縦仕切体１２の右側の磁石２３（以下、第４の磁石２３という）が、ガスケット９の第２の磁石１１と対向して吸着力が得られる。
【００１９】
さて、本実施形態では、前記縦仕切体１２の磁石２２、２３またはガスケット８、９の磁石１０、１１は吸着面におけるＮ極とＳ極の割合が異なる磁石とされている。そして、前記縦仕切体１２の磁石２２、２３と前記ガスケット８、９の磁石１０、１１との対向する面（これらを吸着面という）のうち、異極同士が対向する部分の幅方向寸法が、同極同士が対向する部分の幅方向寸法よりも大きく構成されている。特に本実施形態では、縦仕切体１２の各磁石２２、２３及びガスケット８、９の磁石１０、１１は、磁極の数が１極に構成されている。さらに、縦仕切体１２の２つの磁石２２、２３の間隔が、各ガスケット８、９の２つの磁石１０、１１の間隔よりも狭く構成されている。
【００２０】
より具体的には、本実施形態では、上記したガスケット８の第１の磁石１０、ガスケット９の第２の磁石１１、縦仕切体１２の第３の磁石２２及び第４の磁石２３は、図５に横断面で示すような、扉６、７閉塞時の平面的な配置、幅方向寸法及び吸着面における磁極を有する。即ち、第１の磁石１０は、幅方向寸法ａ１が例えば８ｍｍとされ、吸着面の磁極がＳ極の１極とされている。第２の磁石１１は、幅方向寸法ｂ１が例えば８ｍｍとされ、吸着面の磁極がＳ極の１極とされている。
【００２１】
これに対し、縦仕切体１２の第３の磁石２２は、幅方向寸法ｃ１が例えば９ｍｍとされ、吸着面の磁極がＮ極の１極とされている。第４の磁石２３も，幅方向寸法ｄ１が例えば９ｍｍとされ、吸着面の磁極がＮ極の１極とされている。この際、第１の磁石１０と、第３の磁石２２とは、外側が揃うように配置され、内側に寸法ｇ１（１ｍｍ）のずれが生じている。第２の磁石１１と、第４の磁石２３とに関しても、外側が揃うように配置され、内側に寸法ｇ１（１ｍｍ）のずれが生じている。従って、縦仕切体１２の２つの磁石２２、２３の間隔が、各ガスケット８、９の２つの磁石１０、１１の間隔よりも、２ｍｍだけ狭くなっている。
【００２２】
尚、図５では、ガスケット８、９側の磁石１０、１１をＳ極、縦仕切体１２側の磁石２２、２３をＮ極としたが、Ｎ極とＳ極とが逆であっても良いことは勿論である。また、図５では図示していないが、各磁石１０、１１、２２、２３において、吸着面の反対側の面は、吸着面の磁極と反対の磁極を有しているが、片面つまり吸着面側だけを磁化する構成としても良い。片面だけを磁化した場合、各磁石１０、１１、２２、２３の厚みを薄くすることが可能となる。
【００２３】
次に、上記のように構成された本実施形態の冷蔵庫１の作用・効果について述べる。即ち、本実施形態の冷蔵庫１においては、冷蔵室３を開閉する観音開き式の扉６、７を有し、扉６、７のガスケット８、９と縦仕切体１２との双方に磁石１０、１１、２２、２３を設けることによって、優れた吸着力を得て、高い密閉性を得ることができる。ここで、各扉６、７の冷蔵庫本体２に対する取付け位置のばらつき、各扉６、７におけるガスケット８、９の取付け位置のばらつき、縦仕切体１２における回転軸Ｏ（支持部１９）の位置のばらつき等により、ガスケット８、９と縦仕切体１２との間の磁石１０、１１、２２、２３の位置に幅方向のずれが生ずる虞が考えられる。
【００２４】
ところが、本実施形態では、各ガスケット８、９の磁石１０、１１と、縦仕切体１２の各磁石２２、２３との間においては、図５に示すような正規の位置にあっては、それらのうちの一方の吸着面、この場合磁石２２、２３の幅方向寸法（面積）の広いＮ極と、他方の吸着面、この場合磁石１０、１１幅方向寸法（面積）の広いＳ極とが対向する。これにて、ガスケット８、９の吸着面（磁石１０、１１）が、縦仕切体１２の吸着面（磁石２２、２３）に対して、高い吸着力で吸着される。
【００２５】
仮に、ガスケット８、９と縦仕切体１２との間で左右方向の位置ずれがあって、磁石１０、１１と、磁石２２、２３とが左右方向がずれたとしても、同極同士が対向する部分の面積は小さく（この場合ゼロ）、異極同士が対向する部分の面積を相対的に大きく確保することができる。従って、ガスケット８、９と縦仕切体１２との間の多少の位置ずれが生じた場合でも、ガスケット８、９と縦仕切体１２との間での十分な吸着力を確保することができ、ひいては、吸着力の低下に起因する不具合の発生を未然に防止することができるという効果を奏する。
【００２６】
特に本実施形態では、各磁石１０、１１、２２、２３の磁極の数が１極に構成されているので、簡単な構成で済ませながらも、同極同士が対向して反発するといった事態が発生することなく、高い効果を得ることができる。また、本実施形態では、縦仕切体１２の２つの磁石２２、２３の間隔が、各ガスケット８、９の２つの磁石１０、１１の間隔よりも狭く構成されているので、ガスケット８、９と縦仕切体１２との間で、いずれの方向にずれが生じても、適度な吸着力を得ることが可能となる。
【００２７】
（２）第２〜第５の実施形態、その他の実施形態
図６は、第２の実施形態を示すものであり、扉６、７閉塞時の、第１〜第４の磁石の平面的な配置、幅方向寸法及び吸着面における磁極を表すものである。この第２の実施形態では、ガスケット８に第１の磁石３１が設けられ、ガスケット９に第２の磁石３２が設けられている。縦仕切体１２は、第１の実施形態と同様に、第３の磁石２２及び第４の磁石２３を収容している。
【００２８】
このとき、前記第１の磁石３１の吸着面の磁極は、幅方向（左右方向）に、左から順にＮ極、Ｓ極、Ｎ極の３極が並ぶように構成されている。このとき、例えば、左のＮ極の幅方向寸法ａ１１は、１．５ｍｍ、Ｓ極の幅方向寸法ａ１２は、５ｍｍ、右のＮ極の幅方向寸法ａ１３は、１．５ｍｍとされている。全体の幅方向寸法ａ１は、８ｍｍである。第１の磁石３１と、第３の磁石２２とは、外側が揃うように配置され、内側に寸法ｇ１（１ｍｍ）のずれが生じている。これにて、第１の磁石３１と第３の磁石２２との対向する部分にあっては、異極となる部分の幅方向寸法（面積）が比較的大きく、同極となる部分の幅方向寸法（面積）が比較的小さく（ゼロ）なる。
【００２９】
また、前記第２の磁石３２についても、磁極が、左から順にＮ極、Ｓ極、Ｎ極の３極が並ぶように設けられている。例えば、左のＮ極の幅方向寸法ｂ１１は、１．５ｍｍ、Ｓ極の幅方向寸法ｂ１２は、５ｍｍ、右のＮ極の幅方向寸法ｂ１３は、１．５ｍｍとされている。全体の幅方向寸法ｂ１は、８ｍｍである。第２の磁石３２と、第３の磁石２２とは、外側が揃うように配置され、内側に寸法ｇ１（１ｍｍ）のずれが生じている。これにて、第２の磁石３２と第４の磁石２３との対向する部分にあっては、異極となる部分の幅方向寸法（面積）が比較的大きく、同極となる部分の幅方向寸法（面積）が比較的小さく（ゼロ）なる。
【００３０】
上記構成において、磁石３１、３２、２２、２３が正規の位置にある状態では、第３の磁石２２及び第４の磁石２３の幅方向寸法（面積）の広いＮ極と、第１の磁石３１及び第２の磁石３２の幅方向寸法（面積）の広いＳ極とが夫々対向する。また、同極つまり第１の磁石３１及び第２の磁石３２のＮ極と、第３の磁石２２及び第４の磁石２３のＮ極とが対向する面積（幅方向寸法）は、異極が対向する面積に比べて十分に小さいものとなる。これにより、ガスケット８、９が、縦仕切体１２の吸着面に対して、高い吸着力で吸着される。
【００３１】
そして、仮に磁石３１、３２、２２、２３の位置ずれが発生したとしても、第３の磁石２２及び第４の磁石２３のＮ極と、第１の磁石３１及び第２の磁石３２のＳ極との対向する面積にほとんど変動はなく、同極同士の対向する面積は比較的小さく済むものとなる。従って、この第２の実施形態においても、ガスケット８、９と縦仕切体１２との間の多少の位置ずれが生じた場合でも、それらの間での吸着力を確保することができる。ひいては、吸着力の低下に起因する不具合の発生を未然に防止することができる。
【００３２】
特に本実施形態では、第１の磁石３１及び第２の磁石３２を横方向に３極が並ぶように構成したので、比較的簡易な構成で、Ｎ極、Ｓ極の面積の相違を得ることができる。また、本実施形態では、第１の磁石３１及び第２の磁石３２の３極が横方向に並ぶ磁極にあって、幅寸法が他と異なるものが含まれている構成としたので、目的とする適度な吸着力を得ることが容易となる。さらに、縦仕切体１２の２つの磁石２２、２３の間隔が、各ガスケット８、９の２つの磁石３１、３２の間隔よりも狭く構成されているので、ガスケット８、９と縦仕切体１２との間で、いずれの方向にずれが生じても、適度な吸着力を得ることが可能となる。
【００３３】
図７は、第３の実施形態を示している。この第３の実施形態では、第１の磁石３１及び第２の磁石３２は、上記第２の実施形態と同等の構成を備えている。そして、縦仕切体１２側に設けられる第３の磁石４１及び第４の磁石４２の構成が、上記第２の実施形態と異なっている。即ち、例えば、第３の磁石４１は、幅方向寸法ｃ２が８ｍｍとされ、吸着面の磁極がＮ極の１極とされている。第４の磁石４２も、幅方向寸法ｄ２が８ｍｍとされ、吸着面の磁極がＮ極の１極とされている。これら第３の磁石４１及び第４の磁石４２の幅方向寸法は、第１の磁石３１及び第２の磁石３２の幅方向寸法と同等とされている。
【００３４】
このとき、第２の磁石３２と第４の磁石４２とは、両端が揃うように配置されている。これに対し、第３の磁石４１は、第１の磁石３１に対し、図で左側に寸法ｇ２（例えば１ｍｍ）だけずれて配置されている。従って、縦仕切体１２の２つの磁石４１、４２の間隔が、各ガスケット８、９の２つの磁石３１、３２の間隔よりも、１ｍｍだけ狭くなっている。
【００３５】
この第３の実施形態においても、上記第２の実施形態と同様に、第３の磁石４１及び第４の磁石４２のＮ極と、第１の磁石３１及び第２の磁石３２のＳ極との夫々対向する面積を大きく確保することができ、同極同士の対向する面積は比較的小さく済む。また、ガスケット８、９と縦仕切体１２との間の多少の位置ずれが生じた場合でも、吸着力にほとんど変動はない。従って、ガスケット８、９と縦仕切体１２との間での高い吸着力を確保することができ、吸着力の低下に起因する不具合の発生を未然に防止することができる。
【００３６】
図８は、第４の実施形態を示している。この第４の実施形態では、上記第２、第３の実施形態と同様に、各ガスケット８、９内の第１の磁石３１及び第２の磁石３２の磁極が３極に構成されている。これと共に、縦仕切体１２側に設けられる第３の磁石５１及び第４の磁石５２の磁極が２極に構成され、それら第３の磁石５１及び第４の磁石５２は、磁極の並び方が同じに構成されている。しかもこのとき、縦仕切体１２内の磁石５１、５２における回転軸Ｏ（支持部１９）に近い側の磁極、つまり最も左側の磁極（この場合Ｓ極）が、各ガスケット内８、９の第１及び第２の磁石３１及び３２の中央の磁極（Ｓ極）と同じとなるように構成されている。
【００３７】
具体的には、第３の磁石５１は、吸着面の磁極は、左側にＳ極、右側にＮ極の２極が並ぶように構成されている。このとき、第３の磁石５１は、例えば、全体の幅方向寸法ｃ２が８ｍｍとされ、そのうち左のＳ極の幅方向寸法ｃ２１は４ｍｍ、右のＮ極の幅方向寸法ｃ２２も４ｍｍとされている。第４の磁石５２も、左側にＳ極、右側にＮ極の２極が並び、全体の幅方向寸法ｄ２が８ｍｍとされ、そのうち左のＳ極の幅方向寸法ｄ２１が４ｍｍ、右のＮ極の幅方向寸法ｄ２２も４ｍｍとされている。
【００３８】
このとき、第２の磁石３２と第４の磁石５２とは、両端が揃うように配置されている。これに対し、第３の磁石５１は、第１の磁石３１に対し、図で左側に寸法ｇ２（例えば１ｍｍ）だけずれて配置されている。従って、縦仕切体１２の２つの磁石５１、５２の間隔が、各ガスケット８、９の２つの磁石３１、３２の間隔よりも、１ｍｍだけ狭くなっている。この場合も、やはり、第１及び第２の磁石３１及び３２と、第３及び第４の磁石５１及び５２との対向する面のうち、異極同士が対向する部分の幅方向寸法が、同極同士が対向する部分の幅方向寸法よりも大きく構成されている。
【００３９】
この第４の実施形態においても、第１の磁石３１及び第２の磁石３２と、第３の磁石５１及び第４の磁石５２との間で、異極同士が対向する部分の幅方向寸法（面積）を比較的大きく確保することができる。また、部分的に同極同士の対向状態をつくることにより、ガスケット８，９及び縦仕切体１２に関して、取付け位置等の厳密な管理（設計通りの配置）を不要とし、多少の位置ずれを許容しながら、必要かつ十分な吸着力を得ることができる。従って、観音開き式の扉６、７のガスケット８、９と縦仕切体１２との双方に磁石を設けたものにあって、ガスケット８、９と縦仕切体１２との間での高い吸着力を確保することができ、吸着力の低下に起因する不具合の発生を未然に防止することができる。
【００４０】
特に本実施形態では、第３の磁石５１の回転軸Ｏ側の磁極が、ガスケット８の第１の磁石３１の中央の磁極と同じ（Ｓ極）となるように構成した。これにより、左扉６の開放状態からの閉塞時に、縦仕切体１２の回転軸Ｏ側の第３の磁石５１が、ガスケット８の第１の磁石３１を吸着する際に、同極が対向することによって左扉６の閉扉の直前まで反発力が与えられるようになる。これにて、縦仕切体１２の移動（回転）が促進されるようになり、縦仕切体１２の変位不良（回転不足）を防止することができるといったメリットも得ることができる。
【００４１】
図９は、第５の実施形態を示しており、上記第４の実施形態と異なる点は、第３の磁石６１の構成にある。即ち、第３の磁石６１は、吸着面の磁極が、左側にＮ極、右側にＳ極の２極が並ぶように構成されている。このとき、第３の磁石６１は、例えば、全体の幅方向寸法ｃ３が８ｍｍとされ、そのうち左のＮ極の幅方向寸法ｃ３１は４ｍｍ、右のＳ極の幅方向寸法ｃ３２も４ｍｍとされている。また、第３の磁石６１は、第１の磁石３１に対し、図で左側に寸法ｇ２（例えば１ｍｍ）だけずれて配置されている。
【００４２】
この第５の実施形態においても、第１の磁石３１及び第２の磁石３２と、第３の磁石６１及び第４の磁石５２との間で、異極同士が対向する部分の幅方向寸法（面積）を比較的大きく確保することができる。従って、観音開き式の扉６、７のガスケット８、９と縦仕切体１２との双方に磁石を設けたものにあって、ガスケット８、９と縦仕切体１２との間での高い吸着力を確保することができ、吸着力の低下に起因する不具合の発生を未然に防止することができる。
【００４３】
尚、上記した各実施形態では、各磁石の磁極の数を、１極或いは２極或いは３極に構成したが、縦仕切体の各磁石又は各ガスケットの磁石の、少なくとも一方については、磁極の数を横方向に４極以上が並ぶように構成しても良い。この場合、磁極の数を多くすることにより、位置ずれが発生した場合でも、多少のばらつきを吸収することができ、十分な吸着力を得ることができる。各部の磁石を夫々１個の磁石から構成するものに限らず、複数個の磁石から構成しても良い。
【００４４】
また、上記各実施形態における、ガスケット側と縦仕切体側との磁石の磁極を逆にしたり、磁極の数を逆にしたりしても良いことは勿論である。縦仕切体を右扉側に設ける構成としても良い。磁石の各部の幅方向寸法や、ずれ量等の具体的数値に関しても、一例を挙げたに過ぎず、適宜変更することが可能である。その他、例えば冷蔵庫の全体構成としても、各貯蔵室の配置や数を変更して実施することが可能であるなど、要旨を逸脱しない範囲内で適宜変更して実施し得るものである。
【符号の説明】
【００４５】
図面中、１は冷蔵庫、２は冷蔵庫本体、３は冷蔵室、６は左扉、７は右扉、８、９はガスケット、１０、３１は第１の磁石、１１、３２は第２の磁石、１２は縦仕切体、２２、４１、５１、６１は第３の磁石、２３、４２、５２は第４の磁石を示す。
【図１】
2018040541.tif 000003
【図２】
2018040541.tif 000004
【図３】
2018040541.tif 000005
【図４】
2018040541.tif 000006
【図５】
2018040541.tif 000007
【図６】
2018040541.tif 000008
【図７】
2018040541.tif 000009
【図８】
2018040541.tif 000010
【図９】
2018040541.tif 000011